(57)【要約】【課題】透過光及び反射光の割合に関係なく色変換プロファイルを生成する場合と比較して精度良く色変換する。【解決手段】色変換装置１０は、透光性を有する記録媒体に照射される透過光源からの透過光及び反射光源から照射される反射光の割合を設定する割合設定部２２、割合に基づいて、入力機器２０の色値を出力機器の色値に変換する際の色変換パラメータを設定する色変換パラメータ設定部２４、透過光が照射された状態で複数の測色用画像が形成された測色用記録媒体を予め測色した透過光測色値、反射光が照射された状態で測色用記録媒体を予め測色した反射光測色値、及び割合に基づいて、出力色域を表す出力色域データを算出する色域算出部１３１、出力色域データ及び色変換パラメータに基づいて、入力機器２０の色値を出力機器３０の色値に変換するための色変換プロファイルを生成する色域マッピング部１３２を備える。【選択図】図１
2015080041.tif 000002
【特許請求の範囲】
【請求項１】
透光性を有する記録媒体に照射される透過光源からの透過光及び反射光源から照射される反射光の割合を設定する割合設定手段と、
前記割合に基づいて、入力機器の色値を出力機器の色値に変換する際の色変換パラメータを設定する色変換パラメータ設定手段と、
前記透過光が照射された状態で複数の測色用画像が形成された測色用記録媒体を予め測色した透過光測色値、前記反射光が照射された状態で前記測色用記録媒体を予め測色した反射光測色値、及び前記割合に基づいて、前記出力色域を表す出力色域データを算出する算出手段と、
前記出力色域データ及び前記色変換パラメータに基づいて、前記入力機器の色値を前記出力機器の色値に変換するための色変換プロファイルを生成する生成手段と、
を備えた色変換プロファイル生成装置。
【請求項２】
反射光が照射された状態で前記測色用記録媒体を測色する測色手段と、
前記測色手段により測色された測色値、前記透過光測色値、及び前記反射光測色値に基づいて、透過光が照射された状態における前記測色用記録媒体の測色値を予測する予測手段と、
を備え、
前記算出手段は、前記予測手段により予測された測色値、前記測色手段により測色された測色値、及び前記割合に基づいて、前記出力色域を表す出力色域データを算出する
請求項１記載の色変換プロファイル生成装置。
【請求項３】
前記色変換パラメータ設定手段は、前記透過光の割合が前記反射光の割合に対して高くなるに従って、前記入力機器の色値を前記出力機器の色値に変換する際に彩度よりも明度を維持する度合いが高くなるように前記色変換パラメータを設定し、前記透過光の割合が前記反射光の割合に対して低くなるに従って、前記入力機器の色値を前記出力機器の色値に変換する際に明度よりも彩度を維持する度合いが高くなるように前記色変換パラメータを設定する
請求項１又は請求項２記載の色変換プロファイル生成装置。
【請求項４】
前記色変換パラメータ設定手段は、前記透過光の割合が前記反射光の割合に対して高くなるに従って、前記入力機器の色値を前記出力機器の色値に変換する際の彩度及び明度の非線形圧縮の度合いが高くなるように前記色変換パラメータを設定し、前記透過光の割合が前記反射光の割合に対して低くなるに従って、前記入力機器の色値を前記出力機器の色値に変換する際の彩度及び明度の線形圧縮の度合いが高くなるように前記色変換パラメータを設定する
請求項１〜３の何れか１項に記載の色変換プロファイル生成装置。
【請求項５】
コンピュータを、請求項１〜４の何れか１項に記載の色変換プロファイル生成装置を構成する各手段として機能させるための色変換プロファイル生成プログラム。
【請求項６】
請求項１〜４の何れか１項に記載の色変換プロファイル生成装置と、
前記色変換プロファイル生成装置により作成された色変換プロファイルに基づいて、前記入力機器の色値を前記出力機器の色値に変換する色変換手段と、
を備えた色変換装置。
【発明の詳細な説明】
【技術分野】
【０００１】
本発明は、色変換プロファイル生成装置、色変換プロファイル生成プログラム、及び色変換装置に関する。
【背景技術】
【０００２】
特許文献１には、透過光源及び反射光源が併存する観察環境下において、透過メディアに画像が形成された印刷物の測色値を算出する測色値算出方法であって、前記印刷物の分光透過率と前記印刷物の分光反射率を取得する第１の取得処理と、前記透過光源の分光分布と前記反射光源の分光分布とを取得する第２の取得処理と、取得された前記印刷物の分光透過率、前記印刷物の分光反射率、前記透過光源の分光分布及び前記反射光源の分光分布を用いて前記観察環境下における前記印刷物の測色値を算出する算出処理とを備えることを特徴とする測色値算出方法が開示されている。
【先行技術文献】
【特許文献】
【０００３】
【特許文献１】特開２０１１−６１２７３号公報
【発明の概要】
【発明が解決しようとする課題】
【０００４】
本発明は、透過光及び反射光の割合に関係なく色変換プロファイルを生成する場合と比較して、精度良く色変換することができる色変換プロファイル生成装置、色変換プロファイル生成プログラム、及び色変換装置を提供することを目的とする。
【課題を解決するための手段】
【０００５】
請求項１記載の発明の色変換プロファイル生成装置は、透光性を有する記録媒体に照射される透過光源からの透過光及び反射光源から照射される反射光の割合を設定する割合設定手段と、前記割合に基づいて、入力機器の色値を出力機器の色値に変換する際の色変換パラメータを設定する色変換パラメータ設定手段と、前記透過光が照射された状態で複数の測色用画像が形成された測色用記録媒体を予め測色した透過光測色値、前記反射光が照射された状態で前記測色用記録媒体を予め測色した反射光測色値、及び前記割合に基づいて、前記出力色域を表す出力色域データを算出する算出手段と、前記出力色域データ及び前記色変換パラメータに基づいて、前記入力機器の色値を前記出力機器の色値に変換するための色変換プロファイルを生成する生成手段と、を備える。
【０００６】
請求項２記載の発明は、反射光が照射された状態で前記測色用記録媒体を測色する測色手段と、前記測色手段により測色された測色値、前記透過光測色値、及び前記反射光測色値に基づいて、透過光が照射された状態における前記測色用記録媒体の測色値を予測する予測手段と、を備え、前記算出手段は、前記予測手段により予測された測色値、前記測色手段により測色された測色値、及び前記割合に基づいて、前記出力色域を表す出力色域データを算出する。
【０００７】
請求項３記載の発明は、前記色変換パラメータ設定手段は、前記透過光の割合が前記反射光の割合に対して高くなるに従って、前記入力機器の色値を前記出力機器の色値に変換する際に彩度よりも明度を維持する度合いが高くなるように前記色変換パラメータを設定し、前記透過光の割合が前記反射光の割合に対して低くなるに従って、前記入力機器の色値を前記出力機器の色値に変換する際に明度よりも彩度を維持する度合いが高くなるように前記色変換パラメータを設定する。
【０００８】
請求項４記載の発明は、前記色変換パラメータ設定手段は、前記透過光の割合が前記反射光の割合に対して高くなるに従って、前記入力機器の色値を前記出力機器の色値に変換する際の彩度及び明度の非線形圧縮の度合いが高くなるように前記色変換パラメータを設定し、前記透過光の割合が前記反射光の割合に対して低くなるに従って、前記入力機器の色値を前記出力機器の色値に変換する際の彩度及び明度の線形圧縮の度合いが高くなるように前記色変換パラメータを設定する。
【０００９】
請求項５記載の発明の色変換プロファイル生成プログラムは、コンピュータを、請求項１〜４の何れか１項に記載の色変換プロファイル生成装置を構成する各手段として機能させる。
【００１０】
請求項６記載の発明の色変換装置は、請求項１〜４の何れか１項に記載の色変換プロファイル生成装置と、前記色変換プロファイル生成装置により作成された色変換プロファイルに基づいて、前記入力機器の色値を前記出力機器の色値に変換する色変換手段と、を備える。
【発明の効果】
【００１１】
請求項１、５、６記載の発明によれば、透過光及び反射光の割合に関係なく色変換プロファイルを生成する場合と比較して、精度良く色変換することができる、という効果を有する。
【００１２】
請求項２記載の発明によれば、透過光が照射された状態における測色用記録媒体の測色値を予測しない場合と比較して、精度良く色変換することができる、という効果を有する。
【００１３】
請求項３記載の発明によれば、透過光及び反射光の割合に関係なく色変換する際の彩度及び明度を維持する度合いを固定にした場合と比較して、精度良く色変換することができる、という効果を有する。
【００１４】
請求項４記載の発明によれば、透過光及び反射光の割合に関係なく色変換する際の彩度及び明度の線形圧縮の度合いを固定にした場合と比較して、精度良く色変換することができる、という効果を有する。
【図面の簡単な説明】
【００１５】
【図１】第１実施形態に係る色変換装置のブロック図である。
【図２】第１実施形態に係る色変換装置で実行される処理のフローチャートである。
【図３】色変換パラメータの設定例を示す表である。
【図４】色域マッピングの一例を示す図である。
【図５】色域マッピングの一例を示す図である。
【図６】第２実施形態に係る色変換装置のブロック図である。
【図７】第２実施形態に係る色変換装置で実行される処理のフローチャートである。
【図８】予測部による透過ベースデータの予測について説明するための図である。
【図９】色変換装置をコンピュータで構成した場合のブロックズである。
【発明を実施するための形態】
【００１６】
（第１実施形態）
以下、第１実施形態について図面を参照しつつ詳細に説明する。図１には、第１実施形態に係る色変換装置１０の機能構成を示すブロック図を示した。
【００１７】
色変換装置１０は、入力機器２０と出力機器３０間に設けられて入力機器２０から入力される画像データの色変換処理を行う色変換部１６、色変換部１６が画像データの色変換に際して参照する色変換プロファイル（ルックアップテーブル）を記憶する色変換プロファイル記憶部１５、色変換プロファイル記憶部１５に記憶する色変換プロファイルを生成する色変換プロファイル生成部１１、色変換プロファイルの生成に必要なベースデータを記憶する記憶部１８、透光性を有する記録媒体に照射される透過光源からの透過光及び反射光源から照射される反射光の割合を設定する割合設定部２２、割合設定部２２により設定された割合に基づいて、入力機器２０の色値を出力機器３０の色値に変換する際の色変換パラメータを設定する色変換パラメータ設定部２４を備えている。
【００１８】
この色変換装置１０は、出力機器３０である、例えば、ＣＭＹＫ各色のインクを用いてインクジェット方式でカラー画像を記録媒体上に形成する画像形成装置（カラープリンタ）に内蔵することにより実現される。
【００１９】
入力機器２０としては、例えば、ＰＣ（パーソナル・コンピュータ）等で実現される情報処理端末（クライアント）や、あるいは出力機器３０とは異なる色域を有する画像形成装置（カラープリンタ）等を想定している。
【００２０】
入力機器２０を上記クライアントとした場合は、当該クライアントにおいてディスプレイ上で色を確認しながら作成されたＲＧＢ色空間上の画像データが、また、入力機器２０を他の画像形成装置とした場合は、当該画像形成装置からＣＭＹＫ色空間上の画像データが、それぞれ、色域変換対象として色変換部１６に入力される。
【００２１】
この色変換装置１０において、色変換プロファイル生成部１１は、入力機器２０から入力される画像データの色値（例えば、Ｒ，Ｇ，Ｂ）を、入力機器２０、及び、複数の色（この例では、ＣＭＹＫ色）要素に基づいて複数色を再現する出力機器３０に依存しないデバイス非依存色空間（例えば、Ｌ＊ａ＊ｂ＊空間）上の色値に変換する第一色変換条件生成部１２、第一色変換条件生成部１２で変換された入力画像データの色値を、同じ色空間（Ｌ＊ａ＊ｂ＊空間）上の、出力機器３０の色値に変換する色域変換条件生成部１３、色域変換条件生成部１３による色域変換後のＬ＊ａ＊ｂ＊空間上の色値を出力機器３０が再現可能な例えば、ＣＭＹＫ色空間上の色値に変換する第二色変換条件生成部１４を備えている。
【００２２】
色変換プロファイルの生成処理に際し、色変換プロファイル生成部１１は、記憶部１８から、出力機器３０の上記デバイス非依存色空間における再現色域（出力色域）を算出するために必要な透過ベースデータ１８２Ａ及び反射ベースデータ１８２Ｂを取得する。
【００２３】
ここで、透過ベースデータ１８２Ａは、透過光源から透過光が照射された状態で例えばＣＭＹＫ色空間における複数のパッチ画像（測色用画像）が形成された測色用記録媒体を例えばＬａｂ色空間において予め測色した透過光測色値である。また、反射ベースデータ１８２Ｂは、反射光源から反射光が照射された状態で前記測色用記録媒体を例えばＬａｂ色空間において予め測色した反射光測色値である。すなわち、透過ベースデータ１８２Ａ、反射ベースデータ１８２Ｂは、測色用画像のＣＭＹＫ値と測色したＬａｂ値との対応関係を示すデータである。
【００２４】
透過光源は、出力機器３０により画像が形成された記録媒体が設置される環境で用いられる透過光源であり、例えばＬＥＤパネル等である。また、反射光源は、出力機器３０により画像が形成された記録媒体が設置される環境で用いられる反射光源であり、例えば記録媒体が設置される環境が屋外であれば太陽光であり、記録媒体が設置される環境が屋内であれば蛍光灯等である。
【００２５】
なお、測色用記録媒体は、例えば光沢紙等のように、通常の紙よりも色域が広い記録媒体とすることが好ましい。
【００２６】
色変換プロファイル生成部１１において、色域変換条件生成部１３は、透過ベースデータ１８２Ａ及び反射ベースデータ１８２Ｂに基づいて出力機器３０の出力色域を算出する色域算出部１３１、色変換パラメータ設定部２４により設定された色変換パラメータに基づいて、入力機器２０の色値を出力機器３０の出力色域の色値に変換（マッピング）する色域マッピング部１３２を備えている。ここで、入力機器２０の色値は、入力機器２０で再現可能な入力色データである格子点データでもよいし、ＣＩＥ−Ｌａｂ空間上で再現可能な全ての入力色データである格子点データでもよい。
【００２７】
色変換パラメータ設定部２４は、詳細は後述するが、割合設定部２２により設定された透過光と反射光の割合に基づいて、色変換パラメータを設定する。
【００２８】
また、色変換プロファイル生成部１１において、第二色変換条件生成部１４は、例えば、出力機器３０において予め設定されている（あるいは、記憶部１８等に記憶されている）色材総量制限値から墨量を算出する墨量算出部１４１、色域変換条件生成部１３において色域マッピング部１３２により出力機器３０の出力色域にマッピングされた色値を墨量算出部１４１により算出された墨量を反映させて出力機器３０のＣＭＹＫ色空間の値に変換する色変換部１４２を備えている。
【００２９】
次に、本実施形態の作用として、色変換プロファイル生成処理について図２に示すフローチャートを参照して説明する。なお、図２に示す処理は、色変換プロファイルの生成が指示されると実行される。
【００３０】
まず、ステップＳ１００では、割合設定部２２が、透過光と反射光の割合ｐ：ｒを設定する。なお、ｐ＋ｒ＝１である。例えばユーザーに割合ｐ、ｒを入力させることにより設定してもよい。また、「屋内」、「屋外」等の環境条件と割合ｐ、ｒの対応関係を表すテーブルデータを予め記憶部１８に記憶しておき、環境条件をユーザーに入力させ、入力された環境条件に対応した割合ｐ、ｒをテーブルデータから取得して設定するようにしてもよい。また、設置場所において白色の記録媒体に透過光のみを照射して白の輝度を測定すると共に反射光のみを照射して白の輝度を測定し、両者の割合を計算して設定するようにしてもよい。
【００３１】
ステップＳ１０２では、色域算出部１３１が、透過ベースデータ１８２Ａ、反射ベースデータ１８２Ｂ、ステップＳ１００で設定された割合ｐ、ｒに基づいて、出力機器３０の出力色域を算出する。例えば、透過光測色値をｘ、反射光測色値をｙとした場合、次式により透過光と反射光が合成された照射光の測色値ｚを算出する。
【００３２】
ｚ＝ｘ×ｐ＋ｙ×ｒ
【００３３】
上記のように測色値ｚを透過光測色値及び反射光測色値のＬａｂの各値について計算することにより、透過光と反射光が合成された照射光の測色値が得られ、この測色値に基づいて出力色域が計算される。
【００３４】
ステップＳ１０４では、色変換パラメータ設定部２４が、ステップＳ１０２で算出した出力色域、ステップＳ１００で設定した割合ｐ、ｒに基づいて、色変換パラメータを設定する。
【００３５】
例えば、色変換パラメータ設定部２４は、透過光の割合ｐが反射光の割合ｒに対して高くなるに従って、入力機器２０の色値を出力機器３０の色値に変換する際に彩度よりも明度を維持する度合いが高くなるように色変換パラメータを設定し、透過光ｐの割合が反射光の割合ｒに対して低くなるに従って、入力機器２０の色値を出力機器３０の色値に変換する際に明度よりも彩度を維持する度合いが高くなるように色変換パラメータを設定する。
【００３６】
また、色変換パラメータ設定部２４は、透過光ｐの割合が反射光ｒの割合に対して高くなるに従って、入力機器２０の色値を出力機器３０の色値に変換する際の彩度の線形圧縮の度合いが高くなるように且つ明度の非線形圧縮の度合いが高くなるように色変換パラメータを設定し、透過光ｐの割合が反射光の割合ｒに対して低くなるに従って、入力機器２０の色値を出力機器３０の色値に変換する際の彩度の非線形圧縮の度合いが高くなるように且つ明度の線形圧縮の度合いが高くなるように色変換パラメータを設定する。
【００３７】
図３には、色変換パラメータの設定の一例を示した。図３に示すように、色変換パラメータとしては、一例として「圧縮方向」、「彩度圧縮方法」、「明度圧縮方法」がある。
【００３８】
そして、図３に示すように、ｐ：ｒが「１０：０」であり、出力色域の体積を大中小の３段階に分けた場合に「大」であり、出力色域の最低明度である黒明度を高中低の３段階に分けた場合に「低」である場合、「圧縮方向」は明度優先、「彩度圧縮方法」及び「明度圧縮方法」は線形圧縮に設定される。
【００３９】
また、ｐ：ｒが「５：５」であり、出力色域の体積が「中」であり、出力色域の黒明度が「中」である場合、「圧縮方向」は明度優先と彩度優先との中間、「彩度圧縮方法」及び「明度圧縮方法」は透過光ｐの割合と反射光の割合ｒとが「１０：０」の場合の非線形圧縮と後述するｐ：ｒが「０：１０」の場合の線形圧縮との中間に設定される。
【００４０】
また、ｐ：ｒが「０：１０」であり、出力色域の体積が「小」であり、出力色域の黒明度が「高」である場合、「圧縮方向」は彩度優先、「彩度圧縮方法」及び「明度圧縮方法」は非線形圧縮に設定される。
【００４１】
また、色変換パラメータの設定として、色変換の指針（インテント）を変換してもよい。色変換の指針としては、入力機器の色再現を優先して再現させるColorimetric（カラリメトリック）、入力機器の階調再現を優先して再現させるPerceptual（パーセプチャル）、Saturation（サチュレーション）などがある。ｐ：ｒが「１０：０」の場合、色変換の指針として、入力機器の色再現と出力機器の色再現の色差が最少となるように色域圧縮を実施し、ｐ：ｒが「０：１０」になるに従って、すなわちｐが低くなると共にｒが高くなるに従って、階調再現を優先または彩度を優先するような色再現となるように色域圧縮を実施してもよい。
【００４２】
なお、「インテント」がパーセプチャルやサチュレーションの場合、再現できる色領域は色を一致させ、異なる色領域のため出力機器３０で再現できない色については、色相や彩度のバランスをとりながら再現できるようマッピングしてもよいし、再現できる色領域内であっても色相や彩度のバランスをとりながら再現できるようにマッピングしてもよい。
【００４３】
「インテント」がカラリメトリックの場合、再現できる色領域は色を一致させ、異なる色領域のため出力機器３０で再現できない色については、最も近い色に再現できるようマッピングされる。
【００４４】
図４には、マッピングする際の圧縮方向の一例を示した。図４に示すように、入力色域の入力データＤ１を、ｐ：ｒが「１０：０」の出力色域Ｓ１１にマッピングする際には、色変換パラメータの圧縮方向は明度優先に設定されるため、矢印Ａ１方向にマッピングされ、出力色域Ｓ１１内の出力データＤ１１にマッピングされる。
【００４５】
また、入力色域の入力データＤ１を、ｐ：ｒとが「５：５」の出力色域Ｓ１２にマッピングする際には、色変換パラメータの圧縮方向は彩度優先と明度優先の中間に設定されるため、矢印Ａ２方向にマッピングされ、出力色域Ｓ１２内の出力データＤ１２にマッピングされる。
【００４６】
また、入力色域の入力データＤＡを、ｐ：ｒが「０：１０」の出力色域Ｓ１３にマッピングする際には、色変換パラメータの圧縮方向は彩度優先に設定されるため、矢印Ａ３方向にマッピングされ、出力色域Ｓ１３内の出力データＤ１３にマッピングされる。
【００４７】
図５には、彩度圧縮方法が線形圧縮及び非線形圧縮の場合のマッピングの一例を示した。図５に示すように、入力色域ＳＡの入力データＤＡを、出力色域ＳＢにマッピングする際には、彩度圧縮方法を線形圧縮とした場合は、矢印Ｂ１方向にマッピングされ出力データＤＢ１にマッピングされる。また、彩度圧縮方法を非線形圧縮とした場合は、矢印Ｂ２方向にマッピングされ、出力データＤＢ２にマッピングされる。
【００４８】
ステップＳ１０６では、色域マッピング部１３２が、入力色の画素を出力色域内の画素にマッピングする。すなわち、入力色の全ての画素中から処理順番（例えば、画素カウンタによりカウントする）に対応する画素を１画素ずつ取り出し、当該各画素を出力色域内の値に変換する色域マッピング処理を実行する。
【００４９】
ステップＳ１０８では、ステップＳ１０６の色域マッピング結果に基づいて、入力機器２０の色値を出力機器３０の色値に変換するための色変換プロファイルを生成する。生成した色変換プロファイルは、色変換プロファイル記憶部１５に記憶される。
【００５０】
色変換部１６は、入力機器２０から入力された画像データを色変換プロファイル記憶部１５に記憶された色変換プロファイルに基づいて色変換し、出力機器３０に出力する。
【００５１】
このように、本実施形態では、透過光及び反射光の割合の割合に応じて色変換パラメータを設定して色変換プロファイルを作成する。
【００５２】
（第２実施形態）
次に、第２実施形態について説明する。図６には、第２実施形態に係る色変換装置１０Ａの機能構成を示すブロック図を示した。
【００５３】
図６に示す色変換装置１０Ａは、測色部４０及び予測部４２を備えた点が図１に示す色変換装置１０と異なり、その他の構成は図１に示す色変換装置１０と同一であるので、詳細な説明は省略する。
【００５４】
測色部４０は、反射光が照射された状態で、第１実施形態で説明した測色用記録媒体を測色する。測色部４０により測色された測色値は、反射ベースデータ１８２Ｃとして記憶部１８に記憶される。
【００５５】
予測部４２は、測色部４０により測色された測色値（反射ベースデータ１８２Ｃ）、透過ベースデータ１８２Ａ、及び反射ベースデータ１８２Ｂに基づいて、透過光が照射された状態における測色用記録媒体の測色値を予測する。予測した測色値は透過ベースデータ１８２Ｄとして記憶部１８に記憶される。
【００５６】
次に、本実施形態の作用として、色変換プロファイル生成処理について図７に示すフローチャートを参照して説明する。
【００５７】
図７に示す処理は、ステップＳ５０、Ｓ５２が追加されている点が図２に示す色変換プロファイル生成処理と異なる。
【００５８】
ステップＳ５０では、測色部４０が、出力機器３０により画像が形成された記録媒体が設置される環境で用いられる反射光源による反射光が照射された状態で、第１実施形態で説明した測色用記録媒体を測色する。なお、出力機器３０により画像が形成された記録媒体が設置される環境で用いられる透過光源による透過光は照射しない状態で測色する。測色部４０により測色された測色値は、反射ベースデータ１８２Ｃとして記憶部１８に記憶する。
【００５９】
ステップＳ５２では、予測部４２が、記憶部１８に記憶された反射ベースデータ１８２Ｃ、透過ベースデータ１８２Ａ、及び反射ベースデータ１８２Ｂに基づいて、透過光が照射された状態における測色用記録媒体の測色値を予測する。予測した測色値は透過ベースデータ１８２Ｄとして記憶部１８に記憶する。
【００６０】
具体的には、図８に示すように、予測部４２は、透過ベースデータ１８２Ａ、反射ベースデータ１８２Ｂ、反射ベースデータ１８２Ｃを入力として、予測モデル４２Ａにより透過ベースデータ１８２Ｄを予測する。
【００６１】
なお、予測モデル４２Ａとしては、ニューラルネットワークや線形回帰法等の公知の手法が用いられる。
【００６２】
そして、ステップＳ１００〜Ｓ１０８では、透過ベースデータ１８２Ａ及び反射ベースデータ１８２Ｂに代えて、測色部４０による測色により得られた反射ベースデータ１８２Ｃ及び予測部４２による予測により得られた透過ベースデータ１８２Ｄを用いて処理する。
【００６３】
このように、本実施形態では、測色部４０により測色用記録媒体を測色することにより得られた反射ベースデータ１８２Ｃと、透過ベースデータ１８２Ａ及び反射ベースデータ１８２Ｂを用いて透過ベースデータ１８２Ｄを予測し、反射ベースデータ１８２Ｃ及び透過ベースデータ１８２Ｄを用いて色変換プロファイルを生成する。
【００６４】
なお、本実施形態では、インクジェットプリンタに対して本発明を適用した場合について説明したが、電子写真方式のプリンタに対して本発明を適用してもよい。
【００６５】
なお、色変換装置１０は、図９に示すようなコンピュータ７０を含む構成として実現される。図９に示すコンピュータ７０は、ＣＰＵ（Ｃｅｎｔｒａｌ  Ｐｒｏｃｅｓｓｉｎｇ  Ｕｎｉｔ）７０Ａ、ＲＯＭ（Ｒｅａｄ  Ｏｎｌｙ  Ｍｅｍｏｒｙ）７０Ｂ、ＲＡＭ（Ｒａｎｄｏｍ  Ａｃｃｅｓｓ  Ｍｅｍｏｒｙ）７０Ｃ、不揮発性メモリ７０Ｄ、及び入出力インターフェース（Ｉ／Ｏ）７０Ｅがバス７０Ｆを介して各々接続された構成となっている。この場合、図２、７に示した色変換プロファイル生成処理をコンピュータ７０に実行させるプログラムを、例えば不揮発性メモリ７０Ｄに書き込んでＣＰＵ７０Ａに実行させることにより、コンピュータ７０が色変換装置１０、１０Ａとして機能する。また、プログラムは、ＣＤ−ＲＯＭやＤＶＤ−ＲＯＭ等の記録媒体により提供するようにしてもよい。
【符号の説明】
【００６６】
１０、１０Ａ  色変換装置
１１   色変換プロファイル生成部
１５   色変換プロファイル記憶部
１６   色変換部
１８   記憶部
２０   入力機器
２２   割合設定部
２４   色変換パラメータ設定部
３０   出力機器
４０   測色部
４２Ａ 予測モデル
４２   予測部
７０   コンピュータ
１３１ 色域算出部
１３２ 色域マッピング部
【図１】
2015080041.tif 000003
【図２】
2015080041.tif 000004
【図３】
2015080041.tif 000005
【図４】
2015080041.tif 000006
【図５】
2015080041.tif 000007
【図６】
2015080041.tif 000008
【図７】
2015080041.tif 000009
【図８】
2015080041.tif 000010
【図９】
2015080041.tif 000011